(57)【要約】【課題】素材データを再生させてストップコードを認識させることなく、記録媒体に記録される１または複数の素材データについて再生開始から停止まで自動で行うことのできる蓄積素材再生装置を提供する。【解決手段】テープメディアで数フレームにわたって記録する必要のあるストップコードを、素材データとは別にメタデータに付加してメディア部１１に記録しておき、制御部１３にて現在の停止位置に依存せずメタデータから取得したストップコード情報を使用するようにして、番組の放送開始点へのキューアップまたは移動を、ストップコードのあるフレームへランダムアクセスするだけで瞬時に行えるようにした。【選択図】      図１
2010124130.tif 000002
【特許請求の範囲】
【請求項１】
フレーム構造の素材データを記録媒体に格納し、再生指示に従って前記メモリから前記素材データを再生する蓄積素材再生装置において、
前記素材データに付随する素材関連情報に、再生中の素材データを任意の位置に停止させるためのストップコード情報を付加して前記記録媒体に格納するストップコード情報記憶手段と、
前記記録媒体から素材データを再生する際に、前記記録媒体から前記素材関連情報を取得し、前記ストップコード情報を解析して前記素材データの停止位置を判別する判別手段と、
この判別手段による判別結果に基づいて再生中の素材データを停止する停止制御手段とを具備したことを特徴とする蓄積素材再生装置。
【請求項２】
前記ストップコード情報記憶手段は、前記ストップコード情報に、前記任意の停止位置より数フレーム後に停止させるためのオフセット値を付加して前記記録媒体に格納し、
前記停止制御手段は、前記ストップコード情報に前記オフセット値が付加されている場合に、再生中の素材データを前記任意の停止位置より数フレーム後に停止することを特徴とする請求項１記載の蓄積素材再生装置。
【請求項３】
素材関連情報に、前記素材データの頭出し位置から数フレーム後に頭出しを行うための頭出しオフセット値が付加されているとき、再生指示から数フレーム後に前記記録媒体から前記素材データを再生する再生制御手段をさらに備えたことを特徴とする請求項１記載の蓄積素材再生装置。
【請求項４】
フレーム構造の素材データを記録媒体に格納し、再生指示に従って前記メモリから前記素材データを再生する蓄積素材再生装置で使用される蓄積素材再生方法において、
前記素材データに付随する素材関連情報に、再生中の素材データを任意の位置に停止させるためのストップコード情報を付加して前記記録媒体に格納するステップと、
前記記録媒体から素材データを再生する際に、前記記録媒体から前記素材関連情報を取得し、前記ストップコード情報を解析して前記素材データの停止位置を判別するステップと、
このステップによる判別結果に基づいて再生中の素材データを停止するステップとを具備したことを特徴とする蓄積素材再生方法。
【発明の詳細な説明】
【技術分野】
【０００１】
この発明は、例えば放送番組で使用する映像／音声等の素材（コンテンツ）をハードディスクドライブ等のメディア部から再生する蓄積素材再生装置及び蓄積素材再生方法に関する。
【背景技術】
【０００２】
番組の放送においては、その番組の放送開始点から再生を行うことが一般的であり、放送前には番組の放送開始点にメディアを頭出ししておく（以後、キューアップと呼ぶ）必要がある。また、１つのメディアに複数の番組が収録されている場合には、それぞれの番組毎に放送開始点を設けておき、前の番組の放送（再生）で次の番組の放送開始点で自動停止することにより、前番組の自動停止と次番組の放送開始点のキューアップを同時に行える仕組みとなっている。
【０００３】
従来、番組収録用として一般的に用いられていたのはテープメディアである。テープメディアには、停止命令を出してから実際に停止するまでに数秒かかるという特性がある。このため、番組の放送開始点でテープを自動停止させるためには、番組の放送開始点から数秒前にストップコードと呼ばれるデータを（数フレームにわたって）記録しておく必要があった。テープは再生中にストップコードを認識すると停止動作に入り、ストップコードから数秒後、すなわち番組の放送開始点で自動停止するという動作を行っていた。
【０００４】
ただし、テープはランダムアクセス不可能なメディアであるため、ストップコードを認識させるためには、テープをサーチするために再生動作を行う必要がある。そのため、現在の再生位置とストップコードの位置が離れている場合には、キューアップするまでに多くの時間を要していた。
【０００５】
尚、この種に関連する従来技術として、特許文献１に、制御データと映像データとを絶対時間を介して関連付けてデータを共有化したり、特許文献２に、素材とメタデータとを関連付けて記録する構成が示されている。但し、これら特許文献１及び２に記載のものは、素材の停止やキューアップに関するものではない。
【特許文献１】特開２００７−２３５６６８公報
【特許文献２】特開２００１−２１６７２６公報。
【発明の開示】
【発明が解決しようとする課題】
【０００６】
以上述べたように、従来の蓄積素材再生装置では、テープを記録媒体として用いるため、ストップコードを認識させるためには、テープをサーチするために再生動作を行う必要があり、また、現在の再生位置とストップコードの位置が離れている場合には、キューアップするまでに多くの時間を要する。
【０００７】
そこで、この発明の目的は、素材データを再生させてストップコードを認識させることなく、記録媒体に記録される１または複数の素材データについて再生開始から停止まで自動で行うことのできる蓄積素材再生装置及び蓄積素材再生方法を提供することにある。
【課題を解決するための手段】
【０００８】
上記目的を達成するために、この発明に係る蓄積素材再生装置は、フレーム構造の素材データを記録媒体に格納し、再生指示に従って記録媒体から素材データを再生する蓄積素材再生装置において、素材データに付随する素材関連情報に、再生中の素材データを任意の位置の停止させるためのストップコード情報を付加して記録媒体に格納するストップコード情報記憶手段と、記録媒体から素材データを再生する際に、記録媒体から素材関連情報を取得し、ストップコード情報を解析して素材データの停止位置を判別する判別手段と、この判別手段による判別結果に基づいて再生中の素材データを停止する停止制御手段とを備えるようにしたものである。
【０００９】
この構成によれば、テープメディアで数フレームにわたって記録する必要のあるストップコードを、素材データとは別に素材関連情報に付加して記録媒体に記録し、現在の停止位置に依存せず素材関連情報から取得したストップコード情報を使用するようにしているので、番組の放送開始点へのキューアップまたは移動が、ストップコードのあるフレームへランダムアクセスするだけで可能となる。これにより、素材データを再生させてストップコードを認識させることなく、記録媒体に記録される１または複数の素材データについて再生開始から停止まで自動で行うことができる。
【００１０】
ストップコード情報記憶手段は、ストップコード情報に、任意の停止位置より数フレーム後に停止させるためのオフセット値を付加して記録媒体に格納し、停止制御手段は、ストップコード情報にオフセット値が付加されている場合に、再生中の素材データを任意の停止位置より数フレーム後に停止する。
【００１１】
この構成によれば、ストップコードへのランダムアクセス時にオフセット値をパラメータとして与えることで、ストップコードへアクセスしてからオフセットで指定されたフレーム数だけ再生した後に停止するという動作も可能となる。この場合、ストップコードは番組の放送開始点からオフセットフレーム前のデータとして記録しておく必要がある。
【発明の効果】
【００１２】
以上詳述したようにこの発明によれば、素材データを再生させてストップコードを認識させることなく、記録媒体に記録される１または複数の素材データについて再生開始から停止まで自動で行うことのできる蓄積素材再生装置及び蓄積素材再生方法を提供することができる。
【発明を実施するための最良の形態】
【００１３】
以下、この発明の実施形態について図面を参照して詳細に説明する。  
本発明に係る蓄積素材再生装置の一実施形態を示すブロック構成図である。図１において、１はテープレス再生装置であり、ＨＤＤ（ハードディスクレコーダ）等のメディア部１１と、再生部１２と、制御部１３とを備えている。また、制御部１３には、キーボード、マウス等の操作入力端末が接続される。
【００１４】
メディア部１１は予めオンエア用放送番組の圧縮符号化された素材データを格納しておくもので、制御部１３から与えられる再生指示に応じて、該当する素材データを選択的に再生する。この再生データは、再生部１２により素材信号にデコードされて、選択的にオンエア出力される。
【００１５】
また、メデイア部１１には、非圧縮符号化の素材関連情報（メタデータ）及びストップコード情報が素材データとは別に格納されている。
【００１６】
上記構成において、以下にストップコード情報を用いた素材データの再生処理について説明する。
【００１７】
テープメディアの場合、図２に示すように、番組の放送開始点での自動停止は、外部装置３の検出部３１でストップコードを認識して、テープ再生装置２に停止制御を行うことで実現していた。このため、外部装置３を用いないと、ストップコードを認識することができない。
【００１８】
そこで、本発明では、番組の放送開始点での自動停止は、メタデータを利用することによりテープレス再生装置１単独で実現する。制御部１３は素材データを再生部１２に転送するためにメディア部１１に素材転送制御を行うのと同時にメディア部１１にメタデータ転送制御を行い、ストップコード情報を含んだメタデータを取得する。制御部１３は現在の再生位置から再生部１２にストップコード制御を行い、再生部１２はストップコード制御に応じて再生を停止させる。この際のストップコード制御にオフセットを付加することにより、従来のテープ再生装置で実現していた機能も再現する。
【００１９】
図３は、上記制御部１３の再生制御手順を示すフローチャートである。
【００２０】
まず、操作端末からの再生指示入力を判断し（ステップＳＴ３ａ）、指示入力があった場合には、メディア部１１に対し素材転送制御を行うと共に、該当する素材データのメタデータ転送制御を行ってメディア部１１からメタデータを取得し（ステップＳＴ３ｂ）、このメタデータに付加されるストップコード情報を解析して該当する素材データの停止位置を判別する（ステップＳＴ３ｃ）。
【００２１】
ここで、制御部１３は、ストップコード情報にオフセット値が付加されているか否かの判断を行い（ステップＳＴ３ｄ）、オフセット値が付加されている場合に、再生部１２に対しストップコード情報に示された停止位置よりオフセット値分後に停止するように再生部１２を制御する（ステップＳＴ３ｅ）。かくして、図４に示されるように、再生部１２からデコードされる素材は、ストップコード位置よりオフセット値（１フレーム）後に停止される。
【００２２】
一方、オフセット値が付加されていない場合に、制御部１３は再生部１２に対しストップコード情報に示された停止位置で停止するように再生部１２を制御する（ステップＳＴ３ｆ）。
【００２３】
上記構成によれば、テープメディアで数フレームにわたって記録する必要のあるストップコードを、素材データとは別にメタデータに付加してメディア部１１に記録しておき、現在の停止位置に依存せずメタデータから取得したストップコード情報を使用するようにしているので、番組の放送開始点へのキューアップまたは移動が、ストップコードのあるフレームへランダムアクセスするだけで可能となる。これにより、素材データを再生させてストップコードを認識させることなく、メディア部１１に記録される１または複数の素材データについて再生開始から停止まで自動で行うことができる。
【００２４】
また、ストップコードへのランダムアクセス時にオフセット値をパラメータとして与えることで、ストップコードへアクセスしてからオフセットで指定されたフレーム数だけ再生した後に停止するという動作も可能となる。
【００２５】
なお、上記実施形態では、ストップコード情報にオフセット値を持たせる例について説明したが、例えばメタデータに、素材データの頭出し位置から数フレーム後に頭出しを行うための頭出しオフセット値を付加しておき、再生指示から数フレーム後にメディア部１１から素材データを再生するようにしてもよい。
【００２６】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２７】
【図１】本発明に係る蓄積素材再生装置の一実施形態を示すブロック構成図。
【図２】以前に考えられていたテープ再生装置及び外部装置を示す図。
【図３】上記実施形態における制御部の再生制御手順を示すフローチャート。
【図４】上記実施形態の素材再生例を示すタイミング図。
【符号の説明】
【００２８】
１…テープレス再生装置、１１…メディア部、１２…再生部、１３…制御部、２…テープ再生装置、３…外部装置。
【図１】
2010124130.tif 000003
【図２】
2010124130.tif 000004
【図３】
2010124130.tif 000005
【図４】
2010124130.tif 000006